(57)【要約】【課題】  照明器ユニットをかご室の天井部から抜き取る前に、その照明器ユニットの照明器具を直接目視して異状部分の有無を確認し、その確認で異状がある場合にのみ、照明器ユニットを天井部から抜き取って効率的に保守点検の作業を実施することができるエレベータのかご室照明装置を提供する。【解決手段】  エレベータのかご室１の天井板２に形成された開口８と、開口８に脱着可能に装着された蓋板９の下面に、かご室照明用の蛍光ランプ１３を有する照明器具１０を一体的に取り付けてなる照明器ユニット１５と、蓋板９に形成され、天井板２の上方から照明器具１０を目視することを可能にする確認窓２０とを具備する。保守点検の際には、照明器ユニット１５を抜き取る前に、確認窓２０を通して照明器具１０を目視して異状部分の有無を確認し、異状がある場合にのみ照明器ユニット１５を抜き取る。【選択図】    図４
2010042913.tif 000002
【特許請求の範囲】
【請求項１】
エレベータのかご室の天井部に形成された開口と、
前記開口に脱着可能に装着された蓋板の下面に、かご室照明用の光源を有する照明器具を一体的に取り付けてなる照明器ユニットと、
前記蓋板に形成され、前記天井部の上方から前記照明器具を目視することを可能にする確認窓と、
を具備することを特徴とするエレベータのかご室照明装置。
【請求項２】
前記確認窓にはその開閉用のカバーが設けられていることを特徴とする請求項１に記載のエレベータのかご室照明装置。
【発明の詳細な説明】
【技術分野】
【０００１】
この発明は、エレベータのかご室の天井部に設けられ、そのかご室内を照明する光源を有するエレベータのかご室照明装置に関する。
【背景技術】
【０００２】
一般にかご室の照明装置は、例えば特開２００７−８４２２０公報に見られるように、かご室の天井板の下面に照明ケースを取り付け、この照明ケースの内側において、天井板の下面に照明器具を取り付け、照明ケースの下面の開口部に照明板を脱着可能に装着し、照明器具の光源の光を照明板を通して照射し、かご室内を照明する構造となっている。
【０００３】
そして、照明器具の保守点検などの際には、照明ケースの下面の照明板を取り外し、照明ケースの下面の開口部を通してその作業を行なっている。
【０００４】
しかしながら、照明器具の保守点検の都度、大型な照明板を照明ケースから取り外すのでは大掛かりで手間のかかる作業となり、能率が低下する。
【０００５】
そこで、かご室の天井部に照明器具に対応する開口を形成し、その各開口に脱着可能に蓋板を装着し、これら蓋板の下面に照明器具を取り付けてユニット化し、保守点検の際にその蓋板と照明器具とからなるユニット体を天井部の開口から抜き取って保守点検の作業を行なうようにすることが考えられる。この場合には、照明ケースの下面の開口部に装着されている大型の照明板をいちいち取り外す必要がなく、したがって能率よく保守点検の作業を実施することができる。
【特許文献１】特開２００７−８４２２０公報
【発明の開示】
【発明が解決しようとする課題】
【０００６】
ところで、照明器具の保守点検に当っては、照明器具を目視して気掛かりな異状部分の有無を確認し、異状部分がある場合にその部分を補修したり改修したりすることになる。
【０００７】
しかしながら、上述のように、蓋板に照明器具を取り付けて一体的な照明器ユニットとして構成されている場合、その照明器具を直接目視することができず、一旦、照明器ユニットをかご室の天井部から抜き取らなければ目視による確認ができず、その確認で異状部分がないと判断されたときには、照明器ユニットの抜き取りが無駄となり、保守点検の作用能率が低下することになってしまう。
【０００８】
この発明はこのような点に着目してなされたもので、その目的とするところは、照明器ユニットをかご室の天井部から抜き取る前に、その照明器ユニットの照明器具を直接目視して異状部分の有無を確認し、その確認で異状がある場合にのみ、照明器ユニットを天井部から抜き取って効率的に保守点検の作業を実施することができるエレベータのかご室照明装置を提供することにある。
【課題を解決するための手段】
【０００９】
このような目的を達成するために、請求項１の発明は、エレベータのかご室の天井部に形成された開口と、前記開口に脱着可能に装着された蓋板の下面に、かご室照明用の光源を有する照明器具を一体的に取り付けてなる照明器ユニットと、前記蓋板に形成され、前記天井部の上方から前記照明器具を目視することを可能にする確認窓とを具備することを特徴としている。
【００１０】
請求項２の発明は、前記確認窓にはその開閉用のカバーが設けられていることを特徴としている。
【発明の効果】
【００１１】
この発明によれば、照明器ユニットをかご室の天井部から抜き取る前に、その照明器ユニットの照明器具を直接目視して異状部分の有無を確認し、その確認で異状がある場合にのみ、照明器ユニットを天井部から抜き取って効率的に保守点検の作業を実施することができる。
【発明を実施するための最良の形態】
【００１２】
以下、この発明の一実施形態について図面を参照して説明する。
【００１３】
図１にはエレベータのかご室１の断面図を示してあり、このかご室１は上部に天井部としての天井板２を備え、この天井板２の下面に照明ケース３が取り付けられている。照明ケース３は下面に開口部４を有し、この開口部４に透光性を有する合成樹脂材料で形成された照明板５が取り付けられている。
【００１４】
図２にはかご室１を斜め上方から見た外観図を、図３にはその一部の拡大図を、図４にはその一部の断面図をそれぞれ示してあり、かご室１の天井板２には、例えば均等的な４箇所において、それぞれ矩形状の開口８が形成され、これら開口８にそれぞれ蓋板９が脱着可能に装着されている。
【００１５】
各蓋板９の下面には、照明器具１０を構成する複数のホルダ１２と、これらホルダ１２を介して支持された光源としての例えば環形の蛍光ランプ１３と、この蛍光ランプ１３を点灯させる点灯部品（図示せず）などが設けられ、これら照明器具１０と蓋板９とで一体的な照明器ユニット１５が構成されている。
【００１６】
各蓋板９は、図４に示すように、開口８の縁部に形成された段部８ａの上に載置され、複数の止めねじ１６を介して段部８ａに締結されている。そして各蓋板９の一部、すなわち照明器具１０やその周辺を外部から目視することができる部分に確認窓２０が形成され、これら確認窓２０にカバー２１が設けられている。カバー２１はヒンジ２２を介して確認窓２０の縁部に回動可能に枢着され、その回動で確認窓２０を開閉することができるようになっている。なお、図１に示す２７はかご室１の前面に設けられた出入口、２８はその出入口２７を開閉するドア装置、２９はかご室１内に設けられた操作盤である。
【００１７】
このような構成において、照明器具１０に対する保守点検の際には、作業員がエレベータ昇降路内に入り込んでかご室１の上に乗り込む。そして、図３および図４に示すように、蓋板９のカバー２１を上方に回動して確認窓２０を開き、この確認窓２０を通して蓋板９の下面側の照明器具１０を外部から目視し、その異状の有無を確認する。
【００１８】
この確認の作業で、照明器具１０に異状がなければそのままカバー２１を下方に回動して確認窓２０を閉じ、異状がある場合には、一旦、カバー２１を下方に回動して確認窓２０を閉じる。そして、止めねじ１６を外し、図４に示すように、蓋板９と一体にその下面側の照明器具１０を開口８から抜き取る。つまり、蓋板９と照明器具１０とからなる照明器ユニット１５をかご室１の上に取り出す。そしてこの照明器ユニット１５を反転し、照明器具１０を上に向け、この状態で照明器具１０の異状について再点検し、必要な処置を施す。
【００１９】
この際、照明器具１０の全体は、かご室１から分離され、蛍光ランプ１３などの周辺が大きく開放されており、このため照明器具１０の再点検の作業や必要な処置を施す作業を容易に能率よく行なうことができる。
【００２０】
このような作業をかご室１の天井部の各照明器ユニット１５に対して行なう。そして作業の終了後には、各照明器ユニット１５の蓋板９をその照明器具１０が下方を向く状態で天井板２の各開口８に装着して各照明器具１０を天井板２の下方に配置させるとともに、各蓋板９を止めねじ１６で天井板２に締結固定する。
【００２１】
以上のように、本実施形態では、照明器ユニット１５をかご室１の天井部から抜き取る前に、確認窓２０のカバー２１を開き、その確認窓２０を通して照明器ユニット１５の照明器具１０をかご室１の外部から直接目視してその照明器具１０の異状の有無を確認することができ、したがって異状がない照明器ユニット１５を天井部から抜き取ってしまうような無駄がなく、異状のある照明器ユニット１５のみを抜き取って必要な処置を講じることができ、効率的に保守点検の作業を進めることができる。
【００２２】
なお、照明器具１０を目視するための確認窓２０は、照明器ユニット１５の蓋板９に形成するとともに、さらに天井板２に形成するようにしてもよい。また、照明器具１０の光源としては、蛍光ランプ１３に限らず、冷陰極管やＬＥＤなどを用いることも可能である。
【図面の簡単な説明】
【００２３】
【図１】この発明の一実施形態に係る照明装置を備えるかご室の断面図。
【図２】この発明の一実施形態に係る照明装置を備えるかご室の斜視図。
【図３】そのかご室の天井部の一部を拡大して示す斜視図。
【図４】そのかご室の天井部の一部を拡大して示す断面図。
【符号の説明】
【００２４】
１…かご室
２…天井板
３…照明ケース
４…開口部
５…照明板
８…開口
８ａ…段部
９…蓋板
１０…照明器具
１２…ホルダ
１３…蛍光ランプ
１５…照明器ユニット
２０…確認窓
２１…カバー
２２…ヒンジ
【図１】
2010042913.tif 000003
【図２】
2010042913.tif 000004
【図３】
2010042913.tif 000005
【図４】
2010042913.tif 000006